(57)【要約】【課題】  精細管を検査するにあたり、高倍率の保持と観察の簡便さとを両立させることができる接触式顕微鏡アダプターを提供する。【解決手段】  接触式顕微鏡アダプターにおいて、顕微鏡１と、この顕微鏡１に固定されるフレキシブルアーム６と、このフレキシブルアーム６の先端部に配置されるレンズホルダー８と、このレンズホルダー８に装着されるコーン型レンズ９と、このコーン型レンズ９の先端部を照射するファイバー型照明装置１０とを備え、精巣嚢内を開き任意の部分を鑷子でピックアップした後に、前記顕微鏡１下で高倍率の保持と観察の簡便さとを両立させて精細管を検査する。【選択図】  図１
2008299240.tif 000002
【特許請求の範囲】
【請求項１】
（ａ）顕微鏡と、
（ｂ）該顕微鏡に固定されるフレキシブルアームと、
（ｃ）該フレキシブルアームの先端部に配置されるレンズホルダーと、
（ｄ）該レンズホルダーに装着されるコーン型レンズと、
（ｅ）該コーン型レンズの先端部を照射するファイバー型照明装置とを備え、
（ｆ）精巣嚢内を開き任意の部分を鑷子でピックアップした後に、前記顕微鏡下で高倍率の保持と観察の簡便さとを両立させて精細管を検査することを特徴とする接触式顕微鏡アダプター。
【請求項２】
請求項１記載の接触式顕微鏡アダプターにおいて、前記顕微鏡の対物レンズと前記コーン型レンズとの視軸を合わせることを特徴とする接触式顕微鏡アダプター。
【請求項３】
請求項１記載の接触式顕微鏡アダプターにおいて、前記フレキシブルアームは前記精細管に不必要なダメージを与えないようにフレキシブルに構成することを特徴とする接触式顕微鏡アダプター。
【請求項４】
請求項１記載の接触式顕微鏡アダプターにおいて、前記レンズホルダーに装着されるコーン型レンズは着脱自在であり、前記コーン型レンズの取替えにより滅菌を行うことを特徴とする接触式顕微鏡アダプター。
【請求項５】
請求項１記載の接触式顕微鏡アダプターにおいて、前記コーン型レンズの先端部へ直接前記ファイバー型照明装置を近づけて照らすことにより前記精細管の立体感を得ることを特徴とする接触式顕微鏡アダプター。
【発明の詳細な説明】
【技術分野】
【０００１】
本発明は、生体の精細管内の精子の良否を確認するのに用いる接触式顕微鏡アダプターに関するものである。
【背景技術】
【０００２】
従来、生体の精細管内の検査では、精巣嚢内を開き任意の部分を鑷子でピックアップした後に、実体顕微鏡下にて精細管を検査している。
【特許文献１】なし
【非特許文献１】なし
【発明の開示】
【発明が解決しようとする課題】
【０００３】
しかしながら、上記した精細管の検査方法では、（１）生体を直接観察するため、対象の固定が難しい、（２）対象が微細なため目視することが難しいなどが挙げられる。
【０００４】
したがって、検査に時間がかかり、作業効率が悪く、また歩留りが低いといった問題があった。
【０００５】
本発明は、上記状況に鑑みて、精細管を検査するにあたり、高倍率の保持と観察の簡便さとを両立させることができる接触式顕微鏡アダプターを提供することを目的とする。
【課題を解決するための手段】
【０００６】
本発明は、上記目的を達成するために、
〔１〕接触式顕微鏡アダプターにおいて、顕微鏡と、この顕微鏡に固定されるフレキシブルアームと、このフレキシブルアームの先端部に配置されるレンズホルダーと、このレンズホルダーに装着されるコーン型レンズと、このコーン型レンズの先端部を照射するファイバー型照明装置とを備え、精巣嚢内を開き任意の部分を鑷子でピックアップした後に、前記顕微鏡下で高倍率の保持と観察の簡便さとを両立させて精細管を検査することを特徴とする。
【０００７】
〔２〕上記〔１〕記載の接触式顕微鏡アダプターにおいて、前記顕微鏡の対物レンズと前記コーン型レンズとの視軸を合わせることを特徴とする。
【０００８】
〔３〕上記〔１〕記載の接触式顕微鏡アダプターにおいて、前記フレキシブルアームは前記精細管に不必要なダメージを与えないようにフレキシブルに構成することを特徴とする。
【０００９】
〔４〕上記〔１〕記載の接触式顕微鏡アダプターにおいて、前記レンズホルダに装着されるコーン型レンズは着脱自在であり、前記コーン型レンズの取替えにより滅菌を行うことを特徴とする。
【００１０】
〔５〕上記〔１〕記載の接触式顕微鏡アダプターにおいて、前記コーン型レンズの先端部へ直接前記ファイバー型照明装置を近づけて照らすことにより前記精細管の立体感を得ることを特徴とする。
【発明の効果】
【００１１】
本発明によれば、次のような効果を奏することができる。
【００１２】
（１）精細管の検査にあたり、高倍率の保持と観察の簡便さとを両立させることができる。
【００１３】
（２）フレキシブルアームの使用により、光学系の調整を容易にするとともに、精細管への不必要なダメージを回避することができる。
【００１４】
（３）スポット的に、かつ強力なファイバーの照明光を当てることで、より立体感のある検査対象物（精細管）の観察が可能である。
【発明を実施するための最良の形態】
【００１５】
本発明の接触式顕微鏡アダプターは、顕微鏡と、この顕微鏡に固定されるフレキシブルアームと、このフレキシブルアームの先端部に配置されるレンズホルダと、このレンズホルダーに装着されるコーン型レンズと、このコーン型レンズの先端部を照射するファイバー型照明装置とを備え、精巣嚢内を開き任意の部分を鑷子でピックアップした後に、前記顕微鏡下で高倍率の保持と観察の簡便さとを両立させて精細管を検査する。
【実施例】
【００１６】
以下、本発明の実施の形態について詳細に説明する。
【００１７】
図１は本発明の実施例を示す接触式顕微鏡アダプターの模式図、図２はそのコーン型レンズ部の拡大図である。
【００１８】
この図において、１は手術用顕微鏡、２はその手術用顕微鏡の支持アーム、３は手術用顕微鏡の接眼部、４は手術用顕微鏡の対物レンズ、５は手術用顕微鏡１に固定される操作用レバーである。６はフレキシブルアームであり、その根元は手術用顕微鏡１にタイラップ７などで直接取り付けられ、ある程度の腰を持たせて検査対象物（精細管）に不必要なダメージを与えないようにする。８はフレキシブルアーム６の先端に配置されるレンズホルダー、９はそのレンズホルダー８に設けられるコーン型レンズ、１０はコーン型レンズ９の先端部を照らすファイバー型照明装置（ファイバーイルミネーション）である。
【００１９】
ここで、以下の点に留意する。
【００２０】
〔光学系〕
（１）手術用顕微鏡の対物レンズ４とコーン型レンズ９の視軸が合うように取り付ける。
【００２１】
（２）フレキシブルアーム６の手術用顕微鏡１への接続は、マジックテープ（登録商標）等を用いて一時止めのうえ、タイラップ７などで固定する。
【００２２】
（３）レンズ面との距離に留意する。つまり、取り付けたコーン型レンズ９の先端が手術用顕微鏡１のピントと合うようにする。
【００２３】
〔コーン型レンズの取り付け〕
（１）クリップ式のホルダー８を用いてコーン型レンズ９の着脱が可能なようにする。つまり、取り外して滅菌できるようにする。
【００２４】
（２）フレキシブルアーム６の強度は大事であるが、必要以上に強くしない。つまり、検査対象物（精細管）（患部）に接触するため、強すぎると危険である。強く当てると楽に曲がるようにフレキシブルにしておく。
【００２５】
〔ファイバー型照明装置の取り付け〕
ファイバー型照明装置１０は、第三者に直接持ってもらい、任意の部分に当てることにする。
【００２６】
ここで、コーン型レンズ９としては、ボルク社製ブルメンサルスーチャーレンズを用い、図２に示すように、このコーン型レンズ９の先端部へ直接ファイバー型照明装置１０を近づけて照らすことにより、検査対象物（精細管）の立体感を得るようにする。
【００２７】
また、使用したファイバー光源は、眼科の眼内手術に用いられる２０Ｇかそれ以下の極小ファイバーが使える物で、通常、網膜硝子体の手術時に眼内に直接挿入し内部照明として用いる器具である。今回はそのファイバーを直接的に検査対象物（精細管）（患部）Ａ又はコーン型レンズ９に照射し、直接照明又は観察照明として利用する。
【００２８】
なお、手術用顕微鏡自体で５〜２４倍の倍率を得ることができ、コーン型レンズ９と組み合わせることで７０倍程度の倍率を得ることができる。
【００２９】
図３は本発明の実施例を示す接触式顕微鏡アダプターを示す図面代用写真である。
【００３０】
この図において、１１は手術用顕微鏡、１２はその手術用顕微鏡の支持アーム、１３は手術用顕微鏡の接眼部、１４は手術用顕微鏡の対物レンズ、１５は手術用顕微鏡１１に固定される操作用レバーである。１６はフレキシブルアーム、１７はコーン型レンズであり、その根元が手術用顕微鏡１１にタイラップなどで直接取り付けられ、ある程度の腰を持たせて、検査対象物（精細管）に不必要なダメージを与えないようにする。ここでは、検査対象物（精細管）の照明装置は省略されている。
【００３１】
このように、手術用顕微鏡とコーン型レンズとファイバー型照明装置の三つを組み合わせることで、検査対象物（精細管）Ａの総合約６０倍程度の高倍率と、検査対象物（精細管）Ａの固定を行うことが可能となった。なおかつ検査対象部位だけにスポット的に、かつ強力なファイバーの照明光を当てることで、より立体感のある検査対象物（精細管）Ａの観察が可能になり、その実用的効果は著大である。
【００３２】
なお、本発明は上記実施例に限定されるものではなく、本発明の趣旨に基づき種々の変形が可能であり、これらを本発明の範囲から排除するものではない。
【産業上の利用可能性】
【００３３】
本発明の接触式顕微鏡アダプターは、精細管の検査にあたり、高倍率の保持と観察の簡便さとを両立させることができるツールとして利用することができる。
【図面の簡単な説明】
【００３４】
【図１】本発明の実施例を示す接触式顕微鏡アダプターの模式図である。
【図２】本発明の実施例を示す接触式顕微鏡アダプターのコーン型レンズの模式図である。
【図３】本発明の実施例を示す接触式顕微鏡アダプターを示す図面代用写真である。
【符号の説明】
【００３５】
１，１１    手術用顕微鏡
２，１２    手術用顕微鏡の支持アーム
３，１３    手術用顕微鏡の接眼部
４，１４    手術用顕微鏡の対物レンズ
５，１５    操作用レバー
６，１６    フレキシブルアーム
７    タイラップ
８    レンズホルダー
９，１７    コーン型レンズ
１０    ファイバー型照明装置（ファイバーイルミネーション）
【図１】
2008299240.tif 000003
【図２】
2008299240.tif 000004
【図３】
2008299240.tif 000005